(57)【要約】　　　（修正有）【課題】俎板としての役割を終えた使用済み芯入り俎板のプラスチック部分の有効活用と芯材部分の再利用を図り、使用済み品の廃棄や、焼却の機会の減少せしめ、リサイクルによる省資源や、環境問題に資する。【解決手段】使用済み俎板を回収して、その表裏面及び側面に残存している使用済みプラスチック俎板材を除去して芯材部を回収する第１工程と回収芯材部の表裏面に新たなプラスチック俎板材を貼着若しくは積層する第２工程と、前記表裏面に新俎板材を貼着若しくは積層した芯材部の側面に新たなプラスチック俎板材を貼着する第３工程を有する。【選択図】図２
2004141528.tif 000002
【特許請求の範囲】
【請求項１】
芯材部の表裏面及び側面にプラスチック俎板材を貼着若しくは積層して成る俎板の使用済み回収品を、前記回収品の表裏面及び側面に残存している使用済みプラスチック俎板材を除去して芯材部を回収する第１工程と、前記回収芯材部の表裏面に新たなプラスチック俎板材を貼着若しくは積層する第２工程と、前記表裏面に新俎板材を貼着若しくは積層した芯材部の側面に新たなプラスチック俎板材を貼着する第３工程を有し、使用済み俎板を新しい俎板に甦らせる俎板リニューアル方法。
【請求項２】
前記回収した使用済み俎板の表裏面及び側面を洗浄する工程を、前記第１工程の前に実施することを特徴とする請求項１に記載の俎板リニューアル方法。
【請求項３】
前記第１工程で回収した芯材部の表裏面に消毒を施す工程を、前記第２工程の前に実施することを特徴とする請求項１または２に記載の俎板リニューアル方法。
【請求項４】
前記第１工程で回収した芯材部の表裏面にリミットシートを貼着する工程を前記第２工程の前に実施することを特徴とする請求項１〜３のいずれか１つに記載の俎板リニューアル方法。
【請求項５】
前記第２工程で表裏面に新俎板材を貼着若しくは積層した芯材部の任意の側面に所望の情報を付着せしめる工程を前記第３工程の前に実施することを特徴する請求項１〜４のいずれか１つに記載の俎板リニューアル方法。
【請求項６】
付着される情報が、少なくとも回収された使用済み俎板の従前の顧客を特定するための顧客情報を含み、リニューアル完了後、当該顧客情報に基づき、従前の顧客に売り戻すことを可能にする請求項５記載の俎板リニューアル方法。
【請求項７】
前記第３工程において側面に貼着する新しい俎板材を透明若しくは半透明のプラスチック俎板材とすることを特徴とする請求項５または６に記載の俎板リニューアル方法。
【請求項８】
前記特定顧客情報を付着したリニューアル俎板を当該顧客が希望する期間若しくは所定期間の経過後に当該顧客に売り戻す請求項６または７に記載の俎板リニューアル方法。
【請求項９】
前記第２工程で除去された使用済みプラスチック俎板材を燃料若しくは俎板用途以外のプラスチック材料として利用するものである請求項１〜８のいずれかに記載の俎板リニューアル方法。
【発明の詳細な説明】
【０００１】
【発明の属する技術分野】
本発明は、芯材部の表裏面及び側面にプラスチックの俎板材を貼着して成型された俎板の使用済み後の廃棄物化を阻止し、有効に再利用する方法・およびそのためのシステムに関する。
【０００２】
【従来の技術】
近年、軽量芯材入りのプラスチック製俎板は、その軽量性、消毒のための耐煮沸性、耐変形性、使い分け管理の容易性等の特徴が評価され、主として学校給食、病院給食、社員食堂、弁当惣菜工場などの給食産業で普及してきている。
【０００３】
一方、使用済み俎板の処理に関しては、プラスチック単体俎板が溶融して他の用途に再利用できるのに対して、木材などのプラスチックとは異質の芯材を用いている関係上、単純な溶融再利用には不向きであり、再利用されずに廃棄されているのが現状である。このような現状にあって、特開２００２−３６２３９号公報に記載された発明にみられるように、このような使用済みの俎板を資源として再利用しようという提案もなされている。この発明は、ポリエチレン樹脂等の熱可塑性樹脂から形成される俎板等の成型品について、使用済み成形品を粉砕して再利用しようとするものである。
【０００４】
【発明が解決しようとする課題】
この発明は、樹脂のみで成型された俎板ではなく、樹脂と芯材を組み合わせた俎板について、俎板としての役割を終えた使用済み芯入り俎板の芯材とプラスチック部分とを分離し、プラスチック部分の有効活用と芯材部分の再利用を図り、使用済み品の廃棄や、焼却の機会の減少せしめ、リサイクルによる省資源や、環境問題に資することを課題とする。
【０００５】
【課題を解決するための手段】
上記課題を解決するための第１の手段は、芯材部の表裏面及び側面にプラスチック俎板材を貼着若しくは積層して成る俎板の使用済み品を回収し、前記回収品の表裏面及び側面に残存している使用済みプラスチック俎板材を除去して芯材部を回収する第１工程と、前記回収芯材部の表裏面に新たなプラスチック俎板材を貼着若しくは積層する第２工程と、前記表裏面に新俎板材を貼着若しくは積層した芯材部の側面に新たなプラスチック俎板材を貼着する第３工程とによって使用済み俎板を新しい俎板に甦らせることを特徴とする。
【０００６】
解決手段の２は、前記第１の手段で回収した使用済み俎板の表裏面及び側面を洗浄する工程を、前記第１工程の前に実施することである。
【０００７】
解決手段の３は、前記第１の手段で回収した芯材部の表裏面に消毒を施す工程を、前記第２工程の前に実施することである。
【０００８】
解決手段の４は、前記第１の手段で回収した芯材部の表裏面若しくは前記消毒を施された芯材部の表裏面にリミットシートを貼着する工程を前記第２工程の前に実施することである。
【０００９】
解決手段の５は、前記第２工程で表裏面に新俎板材を貼着若しくは積層した芯材部の任意の側面に所望の情報を付着せしめる工程を前記第３工程の前に実施することである。
【００１０】
解決手段の６は、前記付着される情報が、少なくとも回収された使用済み俎板の従前の顧客を特定するための顧客情報であって、リニューアル完了後、当該顧客情報に基づき、従前の顧客に売り戻すことを可能にすることである。
【００１１】
解決手段の７は、前記解決手段の５、６における第３工程において、側面に貼着する新しい俎板材を透明若しくは半透明のプラスチック俎板材とすることである。
【００１２】
解決手段の８は、前記特定顧客情報付着リニューアル俎板を当該顧客が希望する期間若しくは所定期間の経過後に当該顧客に売り戻すことを可能とすることである。
【００１３】
解決手段の９は、前記第２工程で除去された使用済みプラスチック俎板材を燃料若しくは俎板用途以外のプラスチック材料として利用可能とすることである。
【００１４】
以上、９つの手段の全部またはそのいずれかを用いることによって使用済み芯入り俎板の芯材部分の再利用とプラスチック部分の再活用を図ることが出来る。
【００１５】
【発明の実施の形態】
以下、図面によって本発明の実施の形態を説明する。第１図のａは、本発明のリニューアルシステムに関る俎板１の斜視図である。俎板１の内部には、芯材部２が埋設されており、該芯材部の側面には、商品情報等の任意の情報３が付着されている。
【００１６】
同図のｂは、俎板１のａ−ａ横断面図で、芯材部２を含む俎板の内部構造を示すもので、木芯２ａの周囲にプラスチックのプロテクター２ｂが配設されて芯材部２を構成しており、更に該芯材部２の側面の任意の個所には、任意の情報３が付着され、更にその周囲には、透明性のあるプラスチック側面俎板材５が貼着されている。
【００１７】
同図のｃは、俎板１のｂ−ｂ縦断面図で、木芯２ａとその側面に配置されたプロテクター２ｂで構成される芯材部２の表裏両面には、プラスチックの俎板材６が貼着されており、更に芯材部２の側面には任意の情報３が付着され、更に表裏両面の俎板材６を含めた全側面には、側面俎板材５が貼着されている。
【００１８】
第２図は、新品俎板及びリニューアルされた俎板の流通過程を示すものである。同図ａは、販売店Ｒを通じて一般顧客Ｃに納入された新品俎板ＮＢが、或る期間使用されたあと、使用済み俎板ＵＢとしてメーカーＭに回収され、メーカーＭにおいてリニューアルされたあと、リニューアル俎板ＲＢとして一般顧客Ｃ‘に流通する過程を示している。
【００１９】
同図のｂは、販売店Ｒを通じて特定の顧客ＦＣに納入された新品俎板ＮＢが、使用済み俎板ＵＢとなったあと、メーカーＭにおいてリニューアルされ、該リニューアル俎板ＲＢは、再び販売店Ｒを通じて特定顧客ＦＣに売り戻され、以後は、この循環が継続する過程を示すものである。
【００２０】
第３図は、本発明の実施例のリニューアルの工程を示すもので、ａは最も基本的な工程を示し、ｂはリニューアルの好ましい工程を示すものである。即ち、ａは、▲１▼として使用済み俎板ＵＢを回収し、▲２▼として該ＵＢ　の側面、表面、裏面のプラスチック俎板材を切削、剥離等の手段で除去して芯材部を回収し、▲３▼として該芯材部の表面、裏面に新しい俎板材を接着、粘着等の手段で貼着し、更に▲４▼として前▲３▼▲２▼を終えた芯材部の周囲側面に新しいプラスチック俎板材を接着、溶着等の手段で貼着してリニューアルを完了する。この工程中、▲２▼で除去された側面、表裏面のプラスチック俎板材は、産業用燃料として再活用を図るほか、俎板用途もしくはそれ以外のプラスチック成型用再生原料等として再利用できる。
【００２１】
同図ｂは、リニューアルの好ましい工程を示すもので、▲１▼で使用済み俎板ＵＢを回収し、▲２▼で衛生上の観点から該ＵＢ　の前面を高温蒸気、洗剤等の手段で洗浄し、▲３▼において、洗浄済みＵＢの側面、表面、裏面からプラスチック俎板材を切削、剥離等の手段で除去して芯材部を回収するが、除去した俎板材は、前述の通り、燃料化若しくは再生原料化する。
【００２２】
▲４▼において、前▲３▼において回収した芯材部の少なくとも表裏両面をアルコール塗布、高温殺菌、乾燥炉での乾燥等の任意の手段で殺菌消毒を施す。▲５▼において、消毒済みの回収芯材の表裏両面にリミットシートを接着、粘着等の任意の手段で貼着する。
【００２３】
▲６▼において、前記リミットシートを貼着したその上から、表裏両面において新しい俎板材を接着、粘着等の手段で貼着するが、この場合、リミットシートと新しい俎板材を、リミットシートを芯材側に配置して同時に貼着することが工程簡素化のためには望ましい。
【００２４】
前記▲５▼▲６▼を終えた段階では、その側面には接着剤等がはみ出しているので、該側面を切削、サンディング等で平滑化したあと、▲７▼において、任意の側面に商品情報、ブランド名、或いは使用顧客名等を印刷、貼り付けなどの手段で付着せしめ、▲８▼として、該商品情報等の上から、該情報を判読できる程度の透明性のある新しい側面用俎板材を接着、溶着等の手段で貼着してリニューアルを完了する。なお、本図３のｂに示す工程の内、▲２▼、▲４▼、▲５▼、▲７▼、各手段の全部または一部の何れを実施するか否かは任意である。
【００２５】
なお、前記リミットシートは、俎板を使用する過程で、表面が包丁傷等によって徐々に減耗して行くが、その際、リミットシートに到着した時点でその俎板の使用限界とすることが出来る利点があり、更には、芯材部の保護にも効用がある。以下、実施の例に基き説明する。
【００２６】
【実施例１】
第４図は、使用済み俎板４０が、リニューアルされる工程を示すもので、同図▲１▼は、回収された該俎板４０の横断面図である。軽量木芯４１ａと、該木芯の周囲に配設されたポリエチレン製プロテクター４１ｂ、４１ｃとで構成される芯材部４１の表裏には、ポリエチレン製の俎板材４２が接着されており、更に、該俎板４０の全側面にはポリエチレン製側面俎板材４３が溶着されている。
【００２７】
同図▲２▼は、１において回収された使用済み俎板４０は、その表面は汚れているばかりでなく、付着している食材の残滓、雑菌による異臭もあり、以後のリニューアル工程諸設備の汚染を防ぐため、その全面を洗浄する工程を示す。洗浄方法は任意であるが、高温蒸気噴射洗浄が、付着物除去の点と殺菌の意味においても望ましい。
【００２８】
同図▲３▼は、前記▲２▼において洗浄された使用済み俎板４０の側面の俎板材４３を除去した後の状態を示している。除去の手段は任意であるが、カンナによる切削、サンディングなどが一般的である。
【００２９】
同図▲４▼は、側面俎板材４３を除去した使用済み俎板４０の表裏両面に貼着されている俎板材４２を除去した後の芯材部４１を示している。該俎板材４２を除去する手段は任意であるが、カンナによる切削、サンディングなどの手段のほか、剥離による除去手段も好ましい。
【００３０】
同図▲５▼は、前記▲４▼によって回収された芯材部４１の少なくとも表裏両面を消毒することを示す。消毒の手段は任意であるが、アルコール塗布、高温乾燥炉内での長時間乾燥などが望ましい。
【００３１】
同図▲６▼は、前記▲５▼において消毒を施した回収芯材４１の表裏両面にリミットシート４４を接着させる工程である。リミットシート４４の材質は、着色した熱可塑性樹脂のシートが好ましく、中でもポリエチレンシートが望ましい。接着剤は任意であるが、熱硬化性接着剤が好ましく、エポキシ系接着剤が望ましい。
【００３２】
リミットシート４４の役割、及び着色する目的は、側面からリミットシートの色が透けて見えるのでリニューアル済みの俎板であることの証明と成る他、リニューアル俎板を使用するに連れて表裏面の俎板材が包丁傷で薄くなり、薄くなるに連れてリミットシートの色が徐々に濃く見えて来るので、俎板自体の使用限度を判断する目安とすることである。その結果、使用限度を越えて使用を続け、芯材を傷つける危険を防止できる。
【００３３】
同図▲７▼は、前記▲６▼で回収芯材４１の表裏にリミットシートを接着したその上から新しいポリエチレン製俎板材を接着する工程を示すものである。この場合、▲６▼と▲７▼を同時に実施することも工程短縮に望ましいことは言うまでもない。
【００３４】
同図▲８▼は、前記▲６▼、▲７▼の接着工程で接着剤が俎板側面に流れ出て固着しているので、側面を切削、サンディングなどの手段で固着物を除去して平滑にした後、所望の商品情報、即ち、▲８▼ａのような抗菌、非抗菌の別、肉用、野菜用などの食材別使い分け管理のための情報、更には、▲８▼ｂのような特定顧客の商号等の情報を任意の側面に印刷、或いは、シールの貼り付けなどによって付着する工程である。
【００３５】
同図▲９▼は、前記▲８▼によって情報を付着させた側面を含めた全側面に、新しいポリエチレン製側面俎板材を熱溶着する工程である。この場合、少なくとも情報を付着してある側面に熱溶着するポリエチレン俎板材は、該情報を読み取れる程度の透明体である必要がある。
【００３６】
以上の工程を経た後、側面角部の面取りを行ってリニューアルを完了し、使用済み俎板４０を全く新品同様な俎板に甦らせ、所定の顧客に販売すると共に、前記▲３▼、▲４▼において除去した俎板材を燃料、若しくは再生原料として俎板以外の用途に再利用することによって本実施例を完了する。
【００３７】
【実施例２】
第５図は、複数枚の俎板材が剥離可能に積層されてなる積層俎板のリニューアル工程を示す図で、▲１▼は、顧客から回収した使用済み俎板５０の横断面図であり、木製芯５１ａの周囲にはプラスチック製プロテクター５１ｂ、５１ｃが配設されて芯材部５１が構成されており、該芯材部５１の表裏面には俎板材５２が貼着され、さらにその側面には側面俎板材５３が熱溶着されている。
【００３８】
▲２▼〜▲６▼までの工程は第４図に示す俎板リニューアル工程と同一であるが、▲２▼において前記▲１▼で回収された俎板５０の全表面を高温蒸気洗浄した後、▲３▼において側面の俎板材を切削除去し、▲４▼において表裏面の俎板材を切削除去して芯材部５１を回収し、▲５▼において該芯材部５１の少なくとも表裏面をアルコール塗布消毒してから高温乾燥を施し、更に▲６▼において該芯材部５１の表裏面にポリエチレン製リミットシート５４を接着する。
【００３９】
▲７▼において、リミットシート５４を接着した芯材部の側面を切削により平滑化した後、任意の側面に▲７▼ａのような商品情報、▲７▼ｂのような顧客情報など任意の情報を、印刷若しくはシール貼り付けなどの適宜の手段で付着させる。
【００４０】
▲８▼において、前記▲７▼の工程を経たリミットシート５４を接着した芯材部の表裏両面若しくは片面側に、所望の枚数の新しいポリエチレン製俎板材を積み重ねて積層体を構成し、▲９▼において該積層体の全側面に新しいポリエチレン製俎板材を熱溶着して一体化し、周囲の角部の面取り加工をして積層俎板のリニューアルを完了する。
【００４１】
以上の工程を経た後、側面角部の面取りを行ってリニューアルを完了し、使用済み俎板５０を全く新品同様な積層俎板に甦らせ、所定の顧客に販売すると共に、前記▲３▼、▲４▼において除去した俎板材を燃料、若しくは再生原料として俎板以外の用途に再利用することによって本システムを完了する。なお、▲９▼において熱溶着される俎板材は、側面に付着されている情報を判読できるに十分な透明性を有していることは当然である。
【００４２】
【発明の効果】
以上のように、本発明によって、従来は廃棄されていた使用済み俎板を、全く新品同様の新しい俎板に甦らせ、循環使用することによって廃棄物を減らす効果があり、更に、使用済み俎板に貼着されていたプラスチック製俎板材を燃料、或いは、再生原料として俎板以外の用途に再利用することによって廃棄物減少に貢献できる。
【図面の簡単な説明】
【図１】ａはリニューアルする俎板の斜視図
ｂはリニューアルする俎板のａ−ａ断面図
ｃはリニューアルする俎板のｂ−ｂ断面図
【図２】ａは俎板のリニューアルサイクルの説明図
ｂは他の俎板のリニューアルサイクルの説明図
【図３】ａは本発明の実施形態を説明する俎板のリニューアル工程図
ｂは他の実施形態を説明する俎板のリニューアル工程図
【図４】本発明の実施例のリニューアル工程図
【図５】本発明の実施例のリニューアル工程図
【符号の説明】
１　　俎板
２　　芯材部
２ａ　木芯
２ｂ　プロテクター
３　　表示情報
５　　側面俎板材
６　　俎板材
４０　俎板
４１　芯材部
４１ａ木芯
４１ｂプロテクター
４１ｃプロテクター
４２　俎板材
４３　側面俎板材
４４　リミットシート
５０　俎板
５１　芯材部
５１ａ　木芯
５１ｂプロテクター
５１ｃプロテクター
５２　俎板材
５３　側面俎板材
５４　リミットシート
【図１】
2004141528.tif 000003
【図２】
2004141528.tif 000004
【図３】
2004141528.tif 000005
【図４】
2004141528.tif 000006
【図５】
2004141528.tif 000007